(57)【特許請求の範囲】
【請求項１】
交換レンズが着脱可能に接続されるとともに、前記交換レンズを介して進行する被写体光を通過させる開口部を備えた接続部と、
前記交換レンズが前記接続部に接続された状態において、前記接続部の前記開口部を略閉塞する閉位置と前記被写体光の光路から退避した開位置との間で移動可能に設けられたバリア部材と、
前記交換レンズの前記接続部に対する装着状態を判定し、前記交換レンズが装着されていない場合には前記バリア部材を前記閉位置に制御するとともに、前記交換レンズが装着されかつ所定の第１条件が満たされた場合には前記バリア部材を前記開位置に制御するバリア制御部と、
カメラに備えられた電装部材の少なくとも一部に対する電力の供給を一定条件下で休止する消費電力低減制御を実行する電源制御部と、を備え、
前記バリア制御部は、前記カメラの電源がオフ状態の場合には前記第１条件が満たされていないと判定し、前記電源がオン状態でありかつ所定の第２条件の少なくともひとつが満たされている場合には前記第１条件が満たされたと判定し、前記電源制御部が前記消費電力低減制御を行っていない場合には前記第２条件が満たされていると判定し、前記電源制御部が消費電力低減制御を開始した場合であっても、該消費電力低減制御を開始してから一定時間が経過するまでは前記第２条件が満たされているとみなすこと、
を特徴とするカメラ。
【請求項２】
請求項１に記載のカメラにおいて、
被写界の明るさを測定する測光部をさらに備え、
前記バリア制御部は、前記測光部によって得られた測光値が所定の閾値未満である場合には前記第２条件が満たされていると判定すること
を特徴とするカメラ。
【請求項３】
請求項２に記載のカメラにおいて、
前記バリア制御部は、前記測光値が前記閾値以上である場合には、前記第２条件が満たされているか否かに関わらず前記バリア部材を閉制御すること
を特徴とするカメラ。
【請求項４】
請求項１から請求項３までのいずれか１項に記載のカメラにおいて、
該カメラは、自動露出制御モードとして、暗所での撮影に適した自動露出制御を行う暗所露出制御モードを備え、
前記バリア制御部は、該暗所露出制御モードが選択された場合には前記第２条件が満たされていると判定すること
を特徴とするカメラ。
【請求項５】
請求項１から請求項４までのいずれか１項に記載のカメラにおいて、
前記バリア制御部は、前記バリア部材の移動速度を条件に応じて可変制御すること
を特徴とするカメラ。
【請求項６】
請求項５に記載のカメラにおいて、
該カメラは、作動音を低減する静音モードを備え、
前記バリア制御部は、静音モードが選択された場合には、前記バリア部材の駆動速度を他のモードが選択された場合に比べて遅くする制御を行うこと
を特徴とするカメラ。
【請求項７】
請求項１から請求項６までのいずれか１項に記載のカメラにおいて、
前記バリア制御部は、前記交換レンズが装着され、かつ、前記第１条件が満たされなかった場合には前記バリア部材を前記閉位置に制御すること
を特徴とするカメラ。
【請求項８】
請求項１から請求項７までのいずれか１項に記載のカメラにおいて、
前記交換レンズは、複数のレンズ群を備え、該カメラの撮像面に像を合焦させることができるように前記複数のレンズ群を配置可能な第１の状態と、該第１の状態よりもレンズ長が短く、前記撮像面に前記像を合焦させることができるように前記複数のレンズ群を配置不可能な第２の状態と、をとることができ、
前記バリア制御部は、前記交換レンズが前記第２の状態の場合には、前記バリア部材を前記閉位置に制御すること
を特徴とするカメラ。
【請求項９】
請求項１から請求項８までのいずれか１項に記載のカメラにおいて、
該カメラは、撮影を行う撮影モードと、撮影以外の操作を行う非撮影モードととのいずれかのモードを選択可能であり、
前記バリア制御部は、前記カメラが非撮影モードの場合には、前記バリア部材を前記閉位置に制御すること
を特徴とするカメラ。
【請求項１０】
請求項１から請求項９までのいずれか１項に記載のカメラにおいて、
前記バリア制御部は、前記交換レンズの交換動作が行われている場合には、前記バリア部材を前記閉位置に制御すること
を特徴とするカメラ。
【発明の詳細な説明】
【技術分野】
【０００１】
本発明は、カメラに関するものである。
【背景技術】
【０００２】
従来、カメラにおいて、被写体光を通過させるために筐体に設けられた開口を閉塞するバリアを備えたものが知られている（例えば、特許文献１参照）。
【特許文献１】特許第３５５０６０２号公報
【発明の開示】
【発明が解決しようとする課題】
【０００３】
この従来のカメラは、手動操作によってバリアを開閉させる構成であるため、操作が煩雑である。
本発明の課題は、使い勝手が向上したカメラを提供することである。
【課題を解決するための手段】
【０００４】
本発明は、以下のような解決手段により、前記課題を解決する。
請求項１の発明は、交換レンズが着脱可能に接続されるとともに、前記交換レンズを介して進行する被写体光を通過させる開口部を備えた接続部と、前記交換レンズが前記接続部に接続された状態において、前記接続部の前記開口部を略閉塞する閉位置と前記被写体光の光路（ＯＰ）から退避した開位置との間で移動可能に設けられたバリア部材と、前記交換レンズの前記接続部に対する装着状態を判定し、前記交換レンズが装着されていない場合には前記バリア部材を前記閉位置に制御するとともに、前記交換レンズが装着されかつ所定の第１条件が満たされた場合には前記バリア部材を前記開位置に制御するバリア制御部と、カメラに備えられた電装部材の少なくとも一部に対する電力の供給を一定条件下で休止する消費電力低減制御を実行する電源制御部と、を備え、前記バリア制御部は、前記カメラの電源がオフ状態の場合には前記第１条件が満たされていないと判定し、前記電源がオン状態でありかつ所定の第２条件の少なくともひとつが満たされている場合には前記第１条件が満たされたと判定し、前記電源制御部が前記消費電力低減制御を行っていない場合には前記第２条件が満たされていると判定し、前記電源制御部が消費電力低減制御を開始した場合であっても、該消費電力低減制御を開始してから一定時間が経過するまでは前記第２条件が満たされているとみなすこと、を特徴とするカメラである。
【０００５】
請求項２の発明は、請求項１に記載のカメラにおいて、被写界の明るさを測定する測光部をさらに備え、前記バリア制御部は、前記測光部によって得られた測光値が所定の閾値未満である場合には前記第２条件が満たされていると判定することを特徴とするカメラである。
請求項３の発明は、請求項２に記載のカメラにおいて、前記バリア制御部は、前記測光値が前記閾値以上である場合には、前記第２条件が満たされているか否かに関わらず前記バリア部材を閉制御することを特徴とするカメラである。
請求項４の発明は、請求項１から請求項３までのいずれか１項に記載のカメラにおいて、該カメラは、自動露出制御モードとして、暗所での撮影に適した自動露出制御を行う暗所露出制御モードを備え、前記バリア制御部は、該暗所露出制御モードが選択された場合には前記第２条件が満たされていると判定することを特徴とするカメラである。
請求項５の発明は、請求項１から請求項４までのいずれか１項に記載のカメラにおいて、前記バリア制御部は、前記バリア部材の移動速度を条件に応じて可変制御することを特徴とするカメラである。
請求項６の発明は、請求項５に記載のカメラにおいて、該カメラは、作動音を低減する静音モードを備え、前記バリア制御部は、静音モードが選択された場合には、前記バリア部材の駆動速度を他のモードが選択された場合に比べて遅くする制御を行うことを特徴とするカメラである。
請求項７の発明は、請求項１から請求項６までのいずれか１項に記載のカメラにおいて、前記バリア制御部は、前記交換レンズが装着され、かつ、前記第１条件が満たされなかった場合には前記バリア部材を前記閉位置に制御することを特徴とするカメラである。
請求項８の発明は、請求項１から請求項７までのいずれか１項に記載のカメラにおいて、前記交換レンズは、複数のレンズ群を備え、該カメラの撮像面に像を合焦させることができるように前記複数のレンズ群を配置可能な第１の状態と、該第１の状態よりもレンズ長が短く、前記撮像面に前記像を合焦させることができるように前記複数のレンズ群を配置不可能な第２の状態と、をとることができ、前記バリア制御部は、前記交換レンズが前記第２の状態の場合には、前記バリア部材を前記閉位置に制御することを特徴とするカメラである。
請求項９の発明は、請求項１から請求項８までのいずれか１項に記載のカメラにおいて、該カメラは、撮影を行う撮影モードと、撮影以外の操作を行う非撮影モードととのいずれかのモードを選択可能であり、前記バリア制御部は、前記カメラが非撮影モードの場合には、前記バリア部材を前記閉位置に制御することを特徴とするカメラである。
請求項１０の発明は、請求項１から請求項９までのいずれか１項に記載のカメラにおい
て、前記バリア制御部は、前記交換レンズの交換動作が行われている場合には、前記バリア部材を前記閉位置に制御することを特徴とするカメラである。
なお、上記した構成は、適宜改良してもよく、また、少なくとも一部を他の構成物に代替してもよい。
【発明の効果】
【０００６】
本発明によれば、使い勝手が向上したカメラを提供することができる。
【発明を実施するための最良の形態】
【０００７】
（第1実施形態）
以下、図面等を参照して、本発明を適用したカメラの実施形態について説明する。
図１は、実施形態のカメラの構造を示す断面図である。
この図１において、（ａ）、（ｂ）は、後述するバリア７１が閉位置にある状態、開位置にある状態をそれぞれ示している。
また、この図１において、（ａ）は、カメラ１に交換レンズ１００が装着される前の状態を示し、（ｂ）は、カメラ１に交換レンズ１００が装着された状態を示している。
図２は、図１に示すカメラの構造を示すブロック図である。
以下、図１を含む各図面には、理解を容易にするために適宜Ｘ−Ｙ−Ｚ軸からなる３次元座標系を設定して説明する。
【０００８】
カメラ１は、交換レンズ１００と協働してレンズ交換式のデジタルカメラシステムＣを形成するカメラボディである。
交換レンズ１００は、被写体光を後述する撮像素子５１に導く撮影レンズＬ、カメラ１に備えられたボディ側マウント３０に接続されるレンズ側マウント１１０、カメラ１に備えられたボディ側電気接点４１に接触するレンズ側電気接点１２０、交換レンズ１００に備えられた各要素を統括的に制御するレンズ制御部１３０（図２参照）等を備えている。
【０００９】
撮影レンズＬは、図示しない複数のレンズ群を含んでおり、交換レンズ１００は、これらのレンズ群を光軸Ｏ方向に駆動する、例えば、電動モータＭ等のアクチュエータを備えている（図２参照）。交換レンズ１００は、これらのレンズ群を適宜光軸Ｏ方向に進退動作させることによって、撮影画角の変更を行い、又は、被写体に対してフォーカシング動作（ピント合わせ）を行う。
レンズ側マウント１１０は、交換レンズ１００の装着方向先端部に設けられており、レンズ側電気接点１２０は、レンズ側マウント１１０に備えられている。
なお、本実施形態のカメラ１に対しては、レンズ側マウント１１０と共通のマウントを備えた図示しない複数種類の交換レンズが用意されており、カメラ１には、図１に示す交換レンズ１００以外にも、これらの交換レンズを選択的に装着することができるようになっている。
なお、ボディ側マウント３０、レンズ側マウント１１０は、公知のバヨネット式マウント構造としているが、マウント構造はこれに限らず、他の公知の構造としてもよい。
【００１０】
次にカメラ１について説明する。
カメラ１は、筐体１０、表示装置２０、ボディ側マウント３０、電気接続部４０、撮像ユニット５０、ダスト除去装置６０、バリア装置７０、ボディ制御部８０等を備えている（ダスト除去装置６０、バリア装置７０、ボディ制御部８０は図２参照）。
筐体１０は、例えば、合成樹脂材料や金属材料によって形成された箱体である。筐体１０は、厚さ方向（Ｚ軸方向）寸法が幅方向（Ｘ軸方向）寸法、高さ方向（Ｙ軸方向）寸法よりもそれぞれ小さい略直方体に形成されている。
【００１１】
筐体１０の外観面には、例えば、レリーズボタン１１や図示しない電源スイッチ等の各種操作スイッチ等が設けられている。
レリーズボタン１１は、全押し操作と半押し操作との２段階操作が可能な押しボタンスイッチである。カメラ１は、例えば、レリーズボタン１１の全押し操作に応じて撮影動作を開始し、レリーズボタン１１の半押し操作に応じてオートフォーカス（ＡＦ）動作を開始する。
また、筐体１０の内部には、カメラ１に備えられた各電装部材に対して電力を供給する電池Ｂを収容する図示しない電池室、及び、画像データ等を記録するフラッシュメモリ等の記憶媒体を収容するスロット部が設けられている（電池室及びスロット部は図示を省略する）。電池Ｂ及びフラッシュメモリＦは、カメラ１に着脱可能に装着される。
【００１２】
以下、実施形態のカメラ１において、筐体１０の厚さ方向（Ｚ軸方向）に直交する２つの面部をそれぞれ正面部及び背面部と称して説明する。また、本明細書において、図１に示すように、カメラ１の正面部及び背面部を鉛直面（Ｘ−Ｙ平面）に対して略平行にして横長の画像を撮影するときのカメラ１の姿勢を、カメラ１の通常位置と称して説明するものとする。カメラ１は、通常位置において背面部が撮影者に対向し、正面部が被写体側を向く。以下、本明細書において、カメラ１に含まれる各要素の配置に関する説明は、カメラ１の通常位置を基準として行うものとする。
【００１３】
表示装置２０は、筐体１０の背面部に表示画面が露出して設けられた、例えば、液晶パネル等を含んでいる。表示装置２０は、撮影済み画像や各種設定を行うメニュー画面を表示可能になっている。
また、本実施形態のカメラ１は、撮影時において、後述する撮像素子５１から出力される電気信号に基づいて生成されるスルー画像を、略リアルタイムで表示装置２０に表示するライブビュー機能を備えている。撮影者は、このスルー画像を確認しながらフレーミングを行うことができ、表示装置２０は、ファインダ装置としても機能する。
【００１４】
ボディ側マウント３０は、交換レンズ１００が着脱可能に接続される接続部であり、筐体１０の正面部に設けられている。
ボディ側マウント３０は、交換レンズ１００がカメラ１に装着された状態で、交換レンズ１００のレンズ側マウント１１０に設けられた爪部１１１に対して機械的に係合する爪部３１を備えている。
また、ボディ側マウント３０は、被写体光を通過させるための開口部Ａを規定する開口規定部３２を備えている。開口規定部３２は、筐体１０に対してネジＳ１によって固定され、爪部３１は、開口規定部３２に対してネジＳ２によって固定されている。
【００１５】
電気接続部４０は、交換レンズ１００のレンズ側電気接点１２０と協働してカメラ１と交換レンズ１００とを電気的に接続するものである。
カメラ１は、この電気接続部４０とレンズ側電気接点１２０とを介して交換レンズ１００に電力を供給する。また、後述するボディ制御部８０は、これらの電気接続部４０及びレンズ側電気接点１２０を介して交換レンズ１００に備えられたレンズ制御部１３０（図２参照）と電気信号の授受を行うようになっている。
【００１６】
電気接続部４０は、図１に示すように、交換レンズ１００の装着状態で前述した交換レンズ１００のレンズ側電気接点１２０に接触するボディ側電気接点４１と、このボディ側電気接点４１を支持する部材である接点支持部４２とを備えている。
ボディ側電気接点４１は、接点支持部４２に設けられたバネ４３によって光軸Ｏ方向の被写体側に付勢されたピン状の可動接点である。ボディ側電気接点４１は、交換レンズ１００の非装着状態では、接点支持部４２から光軸Ｏ方向の被写体側に突き出して設けられ（図１（ａ）参照）、交換レンズ１００が装着されると、交換レンズ１００に備えられたレンズ側電気接点１２０に押圧されることによって光軸Ｏ方向の撮影者側に移動して接点支持部４２に押し込まれる（図１（ｂ）参照）。
ボディ側電気接点４１は、複数個が設けられ（図３参照）、これらの複数個のボディ側電気接点４１は、開口部Ａの周縁部に沿って隣接して配置されている。
【００１７】
接点支持部４２は、ボディ側マウント３０の開口規定部３２に固定されており、開口部Ａの下方に配置されている。この接点支持部４２は、図１（ｂ）に示す交換レンズ１００がカメラ１に装着された状態において、レンズ側マウント１１０の爪部１１１よりも光軸Ｏ方向の撮影者側に配置されている。
また、図１に示すように、この接点支持部４２の配置位置（図１において符号Ｚ１を付す）は、後述するバリア７１の移動を規定する平面Ｐと光軸Ｏ方向において重なっている。
【００１８】
撮像ユニット５０は、交換レンズ１００を介して進行する被写体光が露光されると、この被写体光を電気信号に変換して出力する撮像素子５１と、この撮像素子５１の入射面に対向して配置された光学ローパスフィルタ５２（ＬＰＦ５２）とを備えている。ＬＰＦ５２は、撮像素子５１の撮像面５１ａに結像される被写体像にモアレ等が発生することを防止するものである。
このカメラ１は、ボディ制御部８０が撮像素子５１の出力に基づいて撮影レンズＬを通過した被写体光の輝度（被写界の輝度）を測定（測光）し、この測光結果に基づいて自動露出制御（ＡＥ制御）を行うようになっており、撮像素子５１は、測光センサ（測光部）として機能する。
なお、本実施形態のカメラ１は、機械式のシャッタ装置を備えておらず、撮影時における撮像素子５１に対する被写体光の露光時間（撮像素子５１が被写体光を蓄積する時間）の調整は、後述するボディ制御部８０が撮像素子５１を電気的に制御（電子シャッタ制御）して行うようになっている。
【００１９】
ダスト除去装置６０は、筐体１０の内部にダストが侵入した場合や、筐体１０の内部に設けられた部材からダストが発生した場合に、このダストが撮影画像に写り込むことを防止するものである。ダスト除去装置６０は、撮像ユニット５０に備えられたＬＰＦ５２に対して光軸Ｏ方向の被写体側に配置されている。
ダスト除去装置６０は、図２に示すように、透光性を有する材料によって形成された振動フィルタ６１と、例えば、ピエゾ素子等の圧電素子を含み、この圧電素子によって振動フィルタ６１を振動させる振動発生装置６２とを備えている。ダスト除去装置６０は、例えば、振動フィルタ６１に付着したダストを、振動フィルタ６１を振動させることによって振るい落とし、このダストが撮影画像に写り込むことを防止する。
【００２０】
バリア装置７０は、前述したボディ側マウント３０に形成された開口部Ａを閉塞することによって、筐体１０の内部にダストが侵入することを防止するものである。また、バリア装置７０は、開口部Ａを閉塞することによって、外部光が筐体１０の内部に入射することを防止する遮光部材としても機能する。
バリア装置７０は、図１（ｂ）に示す交換レンズ１００がカメラ１に装着された状態において、レンズ側マウント１１０の爪部１１１よりも光軸Ｏ方向の撮影者側に配置されている。したがって、バリア７１は、交換レンズがカメラ１に装着された状態であっても、開位置と閉位置との間を移動できるようになっている。
【００２１】
図３は、図１に示すカメラに備えられたバリア装置の構成を示す斜視図である。
この図３において、（ａ）は、バリア７１が開口部Ａを略閉塞した閉位置にある状態を示し、（ｂ）は、バリア７１が被写体光の光路ＯＰから退避した開位置にある状態を示している。
図３に示すように、バリア装置７０は、バリア７１、バリア駆動部７２、開閉検出スイッチ７３（開位置検出スイッチ７３ａ、閉位置検出スイッチ７３ｂ）等を備えている（開閉検出スイッチ７３は図２参照）。
バリア７１は、円板状に形成されたバリア本体部７１ａと、このバリア本体部７１ａの外周縁部の一部からバリア本体部７１ａの外径側に突き出して設けられた腕部７１ｂとを備えている。
【００２２】
バリア本体部７１ａは、図１（ａ）及び図３（ａ）に示す閉位置にある場合、被写体光の光路ＯＰ上に配置され、撮影レンズＬを通過して撮像素子５１に向けて進行する被写体光を遮断する。これに対し、バリア本体部７１ａは、図１（ｂ）及び図３（ｂ）に示す開位置にある場合には、光路ＯＰから退避する。
このバリア７１は、開位置と閉位置との間を移動する際、光軸Ｏに略垂直な平面（図１において符号Ｐを付す）内で移動するようになっている。
【００２３】
バリア駆動部７２は、バリア７１を開位置と閉位置との間で移動させる部分であり、電動アクチュエータ７２ａと、この電動アクチュエータ７２ａの出力をバリア７１に伝達する減速ギア７２ｂとを備えている。バリア７１の腕部７１ｂの先端部には、減速ギア７２ｂに噛み合うギア７２ｃが形成されている。
開閉検出スイッチ７３は、バリア７１が開位置にあるか閉位置にあるかを検出するための検出装置であり、開位置検出スイッチ７３ａと閉位置検出スイッチ７３ｂとを備えている。これらのスイッチは、バリア７１が開位置及び閉位置のある状態で腕部７１ｂに形成された突起７１ｃにそれぞれ押圧され、ボディ制御部８０は、これによって、バリア７１が開位置にあるか閉位置にあるかを検出する。
【００２４】
ここで、カメラ１は、前述したように表示装置２０に表示されるスルー画像を用いてフレーミングを行うようになっているため、スクリーン（焦点板）やプリズム等によって構成される公知の光学式ファインダ装置や、この光学ファインダ装置に被写体光を導くためのミラーユニットを備えていない。
したがって、カメラ１は、バリア７１が閉位置にある場合、バリア本体部７１ａと振動フィルタ６１とが、他の部材を間に介さずに対向する（図１（ａ）参照）。このように、カメラ１は、バリア７１のバリア本体部７１ａとダスト除去装置６０の振動フィルタ６１との間に他の部材が配置されていないので、その厚さ方向（Ｚ軸方向）の寸法を小さくでき、小型化、薄型化を計ることができる。
【００２５】
ボディ制御部８０は、カメラ１に備えられた各要素を統括的に制御する部分であり、ＣＰＵ等の演算装置を備えている。
ボディ制御部８０は、バリア制御部８１、電源制御部８２、露出制御部８３等を備えている。
【００２６】
バリア制御部８１は、条件に応じてバリア７１の開閉制御を行う部分である。また、バリア制御部８１は、バリア駆動部７２に備えられた電動アクチュエータ７２ａを制御して、バリア７１の移動速度を可変制御するようになっている。
バリア制御部８１が行うバリア７１の開閉制御及び速度制御については、後に詳しく説明する。
【００２７】
電源制御部８２は、カメラ１に備えられた電装部材に対する電池Ｂからの電源供給を制御する電源回路であり、一定条件下でカメラ１に備えられた電装部材の少なくとも一部に対する電力の供給を休止する消費電力低減制御を実行する。
以下、電源制御部８２が消費電力低減制御を実行する際の制御について説明する。
カメラ１のユーザは、レリーズボタン１１の全押し操作に応じて即座に撮影を行うことができるように、撮影を行わない場合であっても、電源をオン状態にしておくことが一般的である。一方、カメラ１の電装部材を常に撮影動作に移行できる状態にスタンバイさせておくと、電池Ｂの消耗が早くなるおそれがある。
【００２８】
そこで、カメラ１は、任意に設定可能な所定の時間（例えば、１０秒程度）、撮影者による何らかの操作を検出しない場合には、電源制御部８２が一部の電装部材に対する電力供給を休止することによって、消費電力の低減を計っている。消費電力低減制御の対象となる電装部材は、特に限定されないが、一例としては表示装置２０があげられる。電源制御部８２は、表示装置２０に対する電力供給を休止することによって、スルー画像を消灯し、これによって消費電力の低減を計るようになっている。
撮影者は、例えば、レリーズボタン１１を半押し操作することによって、この消費電力低減制御を解除することができる。
【００２９】
露出制御部８３は、撮影者が設定した撮影モードに応じて、又は、撮像素子５１の出力に応じて自動的に露出条件を調整する部分である。
ここで、本実施形態のカメラ１には、撮影者が設定可能な撮影モードとして、例えば、夜景の撮影に適した夜景撮影モードや、夜景を背景にして人物を撮影するのに適した夜景ポートレイトモード等が用意されている。以下、このような暗所での撮影の際に選択される撮影モードを「暗所撮影モード」と称する。露出制御部８３は、暗所撮影モードが選択された場合、暗所露出制御モードで自動露出調整を行い、露出条件を暗所での撮影に適するように適宜調整する。
【００３０】
次に、バリア制御部８１が行うバリア７１の開閉制御及び速度制御について説明する。
図４は、図２に示すカメラに備えられたバリア制御部が行うバリアの開閉制御を示すフローチャートである。
以下、ステップごとに説明する。
【００３１】
（ステップＳ０１：交換レンズ装着判定）
バリア制御部８１は、電気接続部４０を介して交換レンズ１００がカメラ１に装着されているか否かを判定する。バリア制御部８１は、交換レンズ１００が装着されていると判定した場合にはステップＳ０２に進む。これに対し、交換レンズ１００が装着されていないと判定した場合にはステップＳ２０に進む。
【００３２】
（ステップＳ０２：電源判定）
バリア制御部８１は、第１条件である電源のオンオフ状態を判定し、電源がオン状態である場合には、ステップＳ０３に進む。これに対し、電源がオン状態ではないオフ状態の場合には、ステップＳ２０に進む。
【００３３】
（ステップＳ０３：撮影モード判定）
バリア制御部８１は、第２条件である撮影モードが暗所撮影モードに設定されているか否の判定を行う。バリア制御部８１は、撮影モードが暗所撮影モード以外に設定されている場合には、ステップＳ０４に進み、撮影モードが暗所撮影モードに設定されている場合には、ステップＳ０６に進んでバリア７１の開制御を行う。
【００３４】
（ステップＳ０４：消費電力低減制御判定）
バリア制御部８１は、第２条件である電源制御部８２が消費電力低減制御が開始してから、所定の時間が経過したか否かの判定を行う。電源制御部８２が消費電力低減制御を開始してから所定の時間が経過している場合、バリア制御部８１は、ステップＳ０５に進む。
これに対し、消費電力低減制御が行われていない、又は、消費電力低減制御が開始されてから所定時間を経過していない場合、バリア制御部８１は、ステップＳ０６に進んでバリア７１の開制御を行う。
【００３５】
（ステップＳ０５：測光値と閾値との比較）
ボディ制御部８０は、バリア７１が開位置にある状態において、所定の時間ごとに撮像素子５１の出力に基づいて測光を行う。バリア制御部８１は、これに応じて第２の条件である測光値が閾値よりも高い（被写界が明るい）か否かの判定を行う。バリア制御部８１は、測光値が閾値未満である場合（暗い場合）には、撮影モードが暗所撮影モード以外に設定されている場合（ステップＳ０３でＮｏ判定）や、消費電力低減制御が開始されてから所定時間が経過した場合（ステップＳ０４でＹｅｓ判定）であっても、ステップＳ０６に進んでバリア７１の開制御を行う。
これに対し、測光値が閾値以上である場合（明るい場合）には、ステップＳ０８に進んでバリア７１の閉制御を行い、撮像素子５１を外部光から保護する。なお、バリア７１がすでに閉位置にある場合、測光を行うことができない（本実施形態では撮像素子５１で測光を行っているため）ので、バリア制御部８１は、このステップＳ０５の判定をスキップしてステップＳ０４からステップＳ０８に進む。
【００３６】
（ステップＳ０６：バリア開位置制御）
バリア制御部８１は、電源がオン状態であり、交換レンズ１００が装着され、かつ、暗所撮影モードが選択されている場合には、バリア７１を開位置に制御する。暗所撮影モードが選択される場合、被写界の輝度が低い（暗い）ことが想定されるので、外部光による撮像素子５１のダメージを考慮する必要がないためである。バリア制御部８１は、測光値が閾値未満である場合にも、同様の理由で、バリア７１を開位置に制御する。
また、暗所撮影モードが選択されていない場合であっても、電源制御部８２が消費電力低減制御を行っていない、又は、電源制御部８２が消費電力低減制御を開始してから所定の時間が経過していない場合、ボディ制御部８０は、同様にバリア７１を開位置に制御して、カメラ１を即座に撮影が可能な撮影スタンバイ状態とする。バリア７１が当初から開位置にある場合、バリア制御部８１は、このステップＳ０６をスキップしてステップＳ０７に進む。
【００３７】
電源制御部８２が消費電力低減制御を開始した場合に、直ちにバリア７１を閉位置に駆動制御しないのは、電源制御部８２が消費電力低減制御を開始した場合であっても、所定の時間が経過するまでは撮影動作が開始される可能性が高いからである。仮に消費電力低減制御の開始と同時にバリア７１を閉位置に駆動制御すると、バリア７１の開閉移動が頻繁になり、電池Ｂの消耗が速くなったり、バリア７１を支持する軸受けの摩耗の進行が速くなったり、バリア７１の開閉動作に伴う音が使用時の快適性を損なう可能性がある。消費電力低減制御が開始された後、どの程度の時間バリア７１の開状態を維持するかは、カメラ１のユーザが任意に設定できることが好ましい。
【００３８】
（ステップＳ０７：測光値と閾値との比較）
バリア制御部８１は、ステップＳ０５と同様に、測光値が閾値以上であるか否かの判定を行い、測光値が閾値以上であれば、暗所撮影モードが選択されている場合（ステップＳ０３でＹｅｓ判定）や、電源制御部８２が消費電力低減制御を行っていない場合、又は、消費電力低減制御を開始してから所定の時間が経過していない場合（ステップＳ０４でＮｏ判定）であっても、ステップＳ０８に進んでバリア７１の閉制御を行い、撮像素子５１を外部光から保護する。
【００３９】
ただし、フレーミング中、被写界に輝度の高いもの（例えば、太陽、照明等）が入るたびにバリア７１が自動的に閉制御されると、操作性を損なうおそれがあるので、このバリア７１の自動閉制御は、測光値が閾値以上である状態が所定の時間、継続した場合にのみ実行することが好ましい。
また、この制御によってバリア７１が自動的に閉制御された場合、例えば、レリーズボタン１１の半押し操作によって、バリア７１を開位置に駆動できるようにするとよい。
一方、測光値が閾値未満である場合、バリア７１は、開位置の状態が維持される。
なお、このステップＳ０７は、ユーザにとっては煩わしく感じる場合も考えられる。このため、撮像素子５１を高輝度外光から保護するための保護モードのＯＮ／ＯＦＦを任意に設定できるようにしておき、この保護モードがＯＮであればステップＳ０７を実行するフロー（図４のフローのまま）とし、保護モードがＯＦＦであればステップＳ０７を実行しない（図４からステップＳ０７を除外したフローを実行する）ようにしてもよい。
【００４０】
（ステップＳ０８：バリア閉位置制御）
バリア制御部８１は、電動アクチュエータ７２ａを制御してバリア７１を閉位置に駆動制御する。
【００４１】
（ステップＳ０９：レリーズ操作検出）
バリア制御部８１は、レリーズボタン１１の半押し操作又は全押し操作（以下、これらを併せてレリーズ操作と称する）を検出し、これらのレリーズ操作を検出した場合には、ステップＳ１０に進む。
一方、バリア制御部８１は、レリーズ操作を検出しない場合には、バリア７１の位置に関わらず（バリア７１が開位置であっても閉位置であっても）ステップＳ０１に戻り、以降の処理を繰り返す。
【００４２】
（ステップＳ１０：バリア位置判定）
バリア制御部８１は、バリア７１が開位置にあるか、閉位置にあるかを判定する。バリア７１が開位置にある場合、ステップＳ１２に進み、後述の撮影動作又は撮影準備動作を行う。一方、バリア７１が閉位置にある場合、バリア制御部８１は、ステップＳ１１に進む。
【００４３】
（ステップＳ１１：バリア開位置制御）
バリア制御部８１は、バリア７１を開位置に制御してステップＳ１２に進み、後述の撮影動作又は撮影準備動作を行う。そのステップＳ１２の動作の後でステップＳ０１に戻って以降の処理を繰り返す。この２ループ目以降の処理において、消費電力低減制御が開始されない場合や、測光値が閾値以上にならない場合には、バリア７１は、開位置のままなので、連続撮影を行うことができる。
【００４４】
（ステップＳ１２：撮影動作）
ボディ制御部８０は、上述のバリア７１の開制御とともに、ステップＳ０９において行われたレリーズ操作に応じた制御を行う。すなわち、ステップＳ０９においてレリーズボタン１１の全押し操作が行われた場合、ボディ制御部８０は、ＡＦ制御、ＡＥ制御を行うとともに、撮像素子５１を制御して、被写体を撮影する撮影動作を開始する。撮影動作によって得られた画像データは、フラッシュメモリＦに記録される。
また、ステップＳ０９においてレリーズボタン１１の半押し操作が行われた場合には、これに応じた制御（撮影準備動作）を行う。例えば、レリーズボタン１１が半押し操作された時点において、電源制御部８２が消費電力低減制御を実行している場合には、これを解除し、表示装置２０にスルー画像を表示させる。また、レリーズボタン１１が半押し操作された時点において、バリア７１が開位置にある場合であって、表示装置２０にスルー画像を表示している場合には、例えば、ＡＦ制御等を行う。
【００４５】
（ステップＳ２０：バリア部材閉位置制御）
バリア制御部８１は、交換レンズ１００がカメラ１に装着されていないと判定（ステップＳ０１でＮｏ判定）した場合には、筐体１０の内部へダストが侵入することを防止するために、バリア７１を閉位置に駆動制御して処理を終了する。また、バリア制御部８１は、電源がオフ状態であることを検出した場合（ステップＳ０２でＮｏ判定）には、外部光を遮蔽するためにバリア７１を閉位置に駆動制御し、処理を終了する。
【００４６】
次に、バリア制御部８１が、バリア７１の駆動速度を変化させる場合の制御について説明する。
カメラ１は、撮影モードとして、レリーズボタン１１が全押し操作された場合にシャッタ音を擬似的に発する発音モードと、この擬似的なシャッタ音を発しないようにする静音モードとを備えている。また、カメラ１は、撮影モードとして、音の発生が好まれない状況（例えば、美術館等の静音が望まれる場所や、寝ている乳幼児を撮影するとき等）において撮影を行う際、カメラ動作を最適化した（例えば、フォーカスやズームのレンズの駆動スピードを低速にする等）静音撮影モードを備えている。
そして、バリア制御部８１は、上述の静音モードや静音撮影モードが選択されている場合、バリア駆動部７２を制御してバリア７１の駆動速度を、それら静音モード、静音撮影モード以外のモード（例えば、上述の発音モード）が選択されている場合に比べて遅くする制御を行う。この制御は、例えば、バリア駆動部７２の電動アクチュエータ７２ａに対して発信するパルス信号の周期を変更すること等によって行うことができる。
【００４７】
バリア７１の駆動速度をどの程度遅くするかは、任意であるが、例えば、バリア７１が開閉検出スイッチ７３に接触する際の接触音等を低減できる程度であることが好ましい。
静音撮影モードは、カメラ１が作動音を発することを禁止するモードであり、例えば、被写体が音に敏感の物又は人である場合に使用されることが想定される。カメラ１は、この静音撮影モードが選択されている場合に、自動的にバリア７１の駆動速度を遅くする制御を行い、バリア７１と開閉検出スイッチ７３との接触音や、ギア同士が噛み合う際に発生する摩擦音等を低減する。
【００４８】
以上、カメラ１によって撮影を行う場合におけるバリア７１の開閉制御について説明したが、カメラ１は、撮影済みの画像を表示装置２０に再生表示する再生表示機能を備えている。
バリア制御部８１は、カメラ１の使用モードが撮影モードから再生表示モードに切り替わった場合、バリア７１を閉位置に駆動する制御を行い、撮像素子５１を外光から保護する。
【００４９】
以上、説明した実施形態のカメラ１によれば、以下の効果を得ることができる。
（１）カメラ１は、電源のオンオフ状態、交換レンズ１００の装着状態等に応じて、バリア制御部８１が自動的にバリア７１の開閉制御を行うので、使い勝手がよい。
（２）カメラ１は、交換レンズ１００が装着されていない場合には、バリア７１を閉位置に駆動するので、筐体１０の内部へのダストの侵入を防止できる。
（３）カメラ１は、電源のオンオフ状態を判定し、電源がオフの場合（撮影を行わない場合）には、バリアを閉位置に駆動するので、外部光が撮像素子５１に到達することによって撮像素子５１がダメージを受けることを防止できる。
【００５０】
（４）カメラ１は、消費電力低減制御が実行されているか否かを判定し、消費電力低減制御が行われている場合には、バリア７１を閉位置に駆動するので、電源がオフの状態の場合と同様に、撮像素子５１を外部光から保護できる。
（５）カメラ１は、消費電力低減制御が実行された場合であっても、この消費電力低減制御が開始されてから所定の時間が経過するまでは、バリア７１の開閉制御を行わないので、バリア７１が過度に開閉移動をすることを防止できる。
（６）カメラ１は、暗所撮影モードが選択されているか否かを判定し、暗所撮影モードが選択されている場合には、バリア７１を開位置に制御するので、バリア７１が過度に開閉移動をすることを防止できる。
（７）カメラ１は、測光値が所定の閾値以上であるか否かを判定し、測光値が閾値以上であれば、バリア７１を閉位置に制御するので、撮像素子５１が外部光によってダメージを受けることを防止できる。また、暗所撮影モードが選択されていない場合であっても、測光値が閾値未満である場合には、バリア７１を閉制御しないので、バリア７１が過度に開閉移動をすることを防止できる。
（８）カメラ１は、静音モードや静音撮影モードが選択されている場合には、バリア７１の移動速度を遅くするので、バリア７１から発せられる作動音を低減することができる。
【００５１】
(第２実施形態）
図５は、第２実施形態における、カメラ本体１に装着された撮影レンズＬ’を示した図である。撮影レンズＬ’は、回転操作が可能なズーム回転筒１０１を有し、ズーム回転筒１０１の内部には被写体側の第１レンズ群Ｌ１，中間位置の第２レンズ群Ｌ２、カメラ１側の第３レンズ群Ｌ３が配置されている。
【００５２】
撮影レンズＬ’は、ズーム回転筒１０１を回転させることにより図５（Ａ）〜（Ｃ）で示すように伸縮する。図５（Ａ）はＴＥＬＥ位置であり、図５（Ｂ）はＷＩＤＥ位置であり、これらの位置の間で第１レンズ群Ｌ１、第２レンズ群Ｌ２及び第３レンズ群Ｌ３が移動することにより、ズーミングが行われる。そして、図５（Ａ）及び（Ｂ）の間は合焦可能範囲（光学系を合焦状態に配置できる範囲）であって、被写体の撮影が可能となっている。
【００５３】
図５（Ｃ）は撮影可能位置よりもさらに第１レンズ群Ｌ１、第２レンズ群Ｌ２及び第３レンズ群Ｌ３が後退した、撮影レンズＬ’が最短に短縮した状態であり、この状態では被写体光を撮像素子５１の撮像面５１ａに合焦させることができない。すなわち、図５（Ｃ）と図５（Ｂ）との間は合焦不能範囲（光学系を合焦状態に配置することができない範囲）であり、この範囲では被写体光を撮像素子５１の撮像面５１ａに合焦させることができない撮影不適状態となる。この撮影レンズＬの短縮は、撮影者が手動で行うこともでき、また、例えば半押しタイマー時間が経過したときに、自動的に短縮するようにしてもよい。
【００５４】
図６は、第２実施形態のバリア制御部８１が行うバリアの開閉制御を示すフローチャートである。第２実施形態が第１実施形態と異なる点は、第１実施形態の図４で示すフローチャートにおけるステップＳ０２とステップＳ０３との間に、ステップ０２１及びステップ０２２を含む点である。なお、カメラ１の構成及びフローチャートの他の部分は第１実施形態のフロー（図４）における動作と同様であり、同様な部分は同一の符号を付して説明は省略する。
【００５５】
(ステップＳ０２１：レンズ群位置判定）
第１レンズ群Ｌ１、第２レンズ群Ｌ２及び第３レンズ群Ｌ３を合焦可能に配置することができるか（レンズ長が短縮状態かどうか）を判定する。レンズ長が短縮状態でなく、第１レンズ群Ｌ１、第２レンズ群Ｌ２及び第３レンズ群Ｌ３を合焦可能に配置することができる場合（ステップＳ０２１でＮｏ判定）、ステップＳ０３に進む。レンズ長が短縮状態の場合（ステップＳ０２１でＹｅｓ判定）、ステップＳ０２２に進む。
【００５６】
(ステップＳ０２２：バリア部材閉位置制御）
バリア制御部８１は、レンズ長が短縮状態の場合（ステップＳ０２１でＹｅｓ判定）した場合には、筐体１０の内部へダストが侵入したり、撮像素子に強い光が入射することを防止するために、バリア７１を閉位置に駆動制御して処理を終了する。
【００５７】
以上、第２実施形態のカメラ１によれば、第１実施形態のカメラ１の効果に加え以下の効果を有する。すなわち、カメラ１は、撮影レンズ群Ｌ１，Ｌ２，Ｌ３が合焦できない場合、撮影を行うことが可能であったとしても、合焦した画像を得ることはできないため、撮影が行われる可能性は低い。このような場合にバリア７１を閉位置に駆動しても支障はなく、バリア７１を閉じることにより、筐体１０の内部へのダストの侵入を防止でき、撮像素子５１を外部光から保護できる。
【００５８】
(第３実施形態）
図７は、第３実施形態のバリア制御部８１が行うバリア７１の開閉制御を示すフローチャートである。第３実施形態が第１実施形態と異なる点は、カメラ１が、撮影を行う撮影モードと撮影以外の操作を行う非撮影モードととのいずれかのモードを選択可能であり、第１実施形態の図４で示すフローチャートにおけるステップＳ０２とステップＳ０３との間に、ステップＳ０２１’及びステップＳ０２２’を含む点である。なお、カメラ１の構成及びフローチャートの他の部分は第１実施形態と同様であり、同様な部分の説明は省略する。
【００５９】
(ステップＳ０２１’：レンズ群位置判定）
カメラ１は、撮影モードかを判定する。撮影モードでない場合、すなわち非撮影モードの場合(ステップＳ０２１’でＮｏと判定）とは、例えば撮影済でメモリＦに記憶された
画像を再生している再生モード、撮影条件を設定している設定モード、メモリＦに記憶した画像を加工している加工モード等の場合である。この非撮影モードの場合、ステップＳ０２２’に進み、撮影モードの場合(ステップＳ０２１’でＹｅｓと判定）、ステップＳ０３に進む。
【００６０】
(ステップＳ０２２’：バリア部材閉位置制御）
バリア制御部８１は、非撮影モードであると判定（ステップＳ０２１でＮｏ判定）した場合には、バリア７１を閉位置に駆動制御して処理を終了する。
【００６１】
以上、第３実施形態のカメラ１によれば、第１実施形態のカメラ１の効果に加え以下の効果を有する。すなわち、カメラ１は、非撮影モードの場合、バリア７１を閉位置に駆動する。非撮影モードの場合は、撮影は行われないので、このような場合にバリア７１を閉位置に駆動しても支障はなく、バリア７１を閉じることにより、筐体１０の内部へのダストの侵入を防止できるとともに、撮像素子５１を外部光から保護できるという効果を有する。
【００６２】
(第４実施形態）
図８は、第４実施形態のバリア制御部８１が行うバリア７１の開閉制御を示すフローチャートである。第３実施形態が第１実施形態と異なる点は、第１実施形態の図４で示すフローチャートにおける、ステップＳ０２とステップＳ０３との間に、ステップ０２１’’ステップ０２２’’、及びステップ０２３’’を含む点である。なお、カメラの構成及びフローチャートの他の部分は第１実施形態と同様であり、同様な部分の説明は省略する。
【００６３】
(ステップＳ０２１’’：レンズ交換判定）
カメラ１は、撮影レンズＬの交換が行われるかを判定する。判定はレンズ取り外し用の押しボタンスイッチの押下によって行われる。撮影レンズＬの交換が行われない場合（ステップＳ０２２’’でＮｏ判定）、ステップＳ０３に進む。撮影レンズＬの、交換が行われる場合（ステップＳ０２１’’でＹｅｓ判定）、ステップＳ０２２’’に進む。
【００６４】
(ステップＳ０２２’’：バリア部材閉位置制御）
バリア制御部８１は、撮影レンズＬのレンズ交換が行われると判定（ステップＳ０２１’でＹｅｓ判定）した場合には、バリア７１を閉じてＳ０２３’に進む。
(ステップＳ０２３’’：バリア部材開位置制御）
バリア制御部８１は、撮影レンズＬの装着が検知されると、撮影レンズＬの交換が終了したと判定し（ステップＳ０２３’’でＹｅｓ判定）、Ｓ０３に進む。
【００６５】
以上、第３実施形態のカメラ１によれば、第１実施形態のカメラ１の効果に加え以下の効果を有する。すなわち、カメラ１は、撮影レンズＬの交換が行われる場合、バリア７１を閉位置に駆動する。撮影レンズＬの交換時には、筐体１０の内部が外部へ解放されるため、ダストの侵入の可能性が比較的高いが、本実施形態によると、この場合、バリア７１が閉じているので、ダストの進入の可能性を低減できるとともに、撮像素子５１を外部光から保護できるという効果を有する。
以上、上述した第２、第３の各実施形態によれば、交換レンズがカメラに装着された状態下であっても、撮影状態又は撮影待機状態から非撮影状態（縮筒状態、画像再生モード状態、メニュー画面状態）へカメラまたはカメラシステム（カメラ＋レンズ）移行する際には、マウントバリアを閉じることにより、カメラ内へのゴミ等の侵入を防止する構成になっている。ここで、レンズ鏡筒がカメラに装着されている状態下であっても、レンズ鏡筒内のレンズが移動することによって、レンズ鏡筒とカメラボディ間に存在する空気に流動が生じ、この空気の流動がカメラ内部にゴミを侵入させる可能性がある。上記各実施形態では、カメラシステムが非撮影状態へ移行するときに、（レンズを移動させる縮筒時以外であっても）レンズを例えばリセット位置等へ移動させることがある。そこで上記実施形態では、強い光から撮像素子を保護するためだけでなく、このようなレンズ移動によりカメラ内にゴミが侵入することをも防止するために、バリアを閉じている。
［変形形態］
本発明は、以上説明した実施形態に限定されることなく、以下に示すような種々の変形や変更が可能であって、これらも本発明の技術的範囲内に含まれる。
（１）実施形態のカメラは、電気接点を介して交換レンズの装着状態を検出したが、これに限らず、機械的なスイッチによって交換レンズの装着状態を検出してもよい。
（２）実施形態のカメラは、消費電力低減制御が開始されてから、所定の時間が経過した後にバリアを閉位置に駆動する制御を行ったが、これに限らず、消費電力低減制御の開始と同時にバリアを閉位置に駆動してもよい。
（３）実施形態は、撮像素子を用いて撮影レンズを通過した被写体光に基づいて測光（ＴＴＬ測光）を行ったが、これに限らず、例えば、筐体に測光センサを設け、この測光センサによって、測光を行い、この測光結果に基づいてバリアを開閉制御してもよい。この場合、バリアの閉制御だけでなく、測光値に応じてバリアの開制御を行うことができる。
（４）実施形態のカメラは、静音モードや静音撮影モードが選択された場合に、バリアの駆動速度を遅くする制御を行ったが、バリアの駆動速度を変化させる際の条件は、これに限られない。例えば、図４に示すフローチャートのステップＳ０７で、レリーズボタンの全押し操作（撮影指示）を検出した場合には、バリアの駆動速度を通常よりも早くして、バリアを素早く光路から退避させ、迅速に撮影動作に移行できるようにしてもよい。
（５）カメラは、所定の操作スイッチを手動で操作することによって、バリアの開閉を行うことができるようにしてもよい。この場合、交換レンズが装着されていなくてもバリアを開位置に駆動することができるので、ダスト除去装置の振動フィルタを清掃することができる。また、カメラがダスト除去装置を備えていない場合には、光学ローパスフィルタを清掃して光学ローパスフィルタに付着したダストを除去することができる。
（６）上述の実施形態において撮影レンズに、レンズキャップセンサーを設け、レンズキャップが付いていると判定した場合、上述した実施形態の各種条件に当てはまる場合であっても、バリアを閉じないようにすることもできる。レンズキャップが付いている場合、光は撮像素子に入射しないため、撮像素子は保護されるからである。なお、上述した各種条件には、第４実施形態のレンズ交換は含まれない。レンズ交換時には、レンズキャップの有無にかかわらず、撮像面５１ａが外部光にさらされるからである。
【図面の簡単な説明】
【００６６】
【図１】第１実施形態のカメラの構造を示す断面図である。
【図２】図１に示すカメラの構造を示すブロック図である。
【図３】図１に示すカメラに備えられたバリア装置の構成を示す斜視図である。
【図４】図２に示すカメラに備えられたボディ制御部が行うバリアの開閉制御を示すフローチャートである。
【図５】第２実施形態における撮影レンズを示した図である。
【図６】第２実施形態のバリア制御部が行うバリアの開閉制御を示すフローチャートである。
【図７】第３実施形態のバリア制御部が行うバリアの開閉制御を示すフローチャートである。
【図８】第４実施形態のバリア制御部が行うバリアの開閉制御を示すフローチャートである。
【符号の説明】
【００６７】
１  カメラ  ：  ３０  接続部  ：  ７０  バリア装置  ：  ７１  バリア  ：  ８０  ボディ制御部  ：  ８１  バリア制御部  ：  １００  交換レンズ
【図１】
0005266950.tif 000002
【図２】
0005266950.tif 000003
【図３】
0005266950.tif 000004
【図４】
0005266950.tif 000005
【図５】
0005266950.tif 000006
【図６】
0005266950.tif 000007
【図７】
0005266950.tif 000008
【図８】
0005266950.tif 000009